(57)【要約】      （修正有）【課題】一度に指定できる宛先の件数の上限を設定でき、その件数を超える宛先は指定不可としたり、その件数を超える宛先を指定した場合には送信を中止するか不可とすることによって、多数の宛先を指定することによる誤送信を減らし、不要な宛先に送信することを防止して通信経費の削減に寄与し、迷惑ファクスの送信元となることを未然に防止すること。【解決手段】複数の宛先を指定する宛先指定手段を有する宛先指定装置において、指定する宛先数を設定する設定手段と、前記設定手段により設定された宛先数を超えるか否かを判断する判断手段と、前記判断手段により前記宛先数が越えたと判断された送信情報と関連させて警告の表示する表示手段とを有することを特徴とする。【選択図】図１４
2007110249.tif 000002
【特許請求の範囲】
【請求項１】
複数の宛先を指定する宛先指定手段を有する宛先指定装置において、
指定する宛先数の上限値を設定する設定手段と、
該設定手段により設定された宛先数の上限値を超えるか否かを判断する判断手段と、を備え、
前記判断手段により前記宛先数の上限値を超過して設定したと判断された場合、警告を表示すると共に、前記上限値を超過する宛先の設定を取り消すことを特徴とする宛先指定装置。
【請求項２】
請求項１に記載の宛先指定装置において、前記判断手段により前記宛先数の上限値を超過して送信すると判断された場合、警告を表示すると共に、前記上限値を超過する宛先への送信を中止すことを特徴とする宛先指定装置。
【請求項３】
請求項１または２に記載の宛先指定装置において、
前記設定手段は、前記宛先数の上限値の設定を許可するか否かを判断可能としたことを特徴とする宛先指定装置。
【請求項４】
請求項１乃至３のいずれか１項に記載の宛先指定装置を備えたことを特徴とする画像形成装置。
【発明の詳細な説明】
【技術分野】
【０００１】
本発明は、ファクシミリ装置において宛先の指定を制限する方法に関し、特にファクシミリ装置、電話機、インターネットファクシミリ装置、メール端末、インターネット端末、通信装置、ネットワーク装置、ネットワーク端末に関する。
【背景技術】
【０００２】
近年のファクシミリは、「同報送信」の機能を備えたものが多い。「同報送信」とは、複数の宛先を指定して原稿を読み取らせることにより、同一の原稿画像を複数の宛先に順次または一斉に送信できる機能である。この機能に関する従来技術として、例えば特許文献１に、複数の宛先の指定を簡単に行う方法が開示されている。
【特許文献１】特開平０６−１０５０１５号公報
【発明の開示】
【発明が解決しようとする課題】
【０００３】
しかしながら、一度に沢山の宛先が指定できてしまうと、誤った宛先を指定し送信してしまう可能性も高い。宛先件数が少なければ、送信前に各宛先が誤っていないか、送信する必要のない宛先が混じっていないか確認するのも容易ではあるが、例えば宛先が数十件にも達すると、指定した宛先が全て誤りのないかを確認するのも手間になり、宛先を確認せずに送信をしてしまいがちである。このため、誤った宛先に送信して情報漏洩し、セキュリティ上の問題や、不必要な宛先に送信することによる通信経費の増加あるいは無駄使いという問題につながる。また、簡単な手順の操作で多数の宛先に送信できるため、受信側にとって不要（むしろ迷惑）な「迷惑ファクス」（無差別大量配信）の送信元とされるおそれがある。
本発明は上記の問題点に対して鑑みられたものであり、一度に指定できる宛先の件数の上限を設定でき、その件数を超える宛先は指定不可としたり、その件数を超える宛先を指定した場合には送信を中止するか不可とすることによって、多数の宛先を指定することによる誤送信を減らし、不要な宛先に送信しないので通信経費の削減に寄与し、迷惑ファクスの送信元となることを未然に防止することを目的とする。
【課題を解決するための手段】
【０００４】
上記の課題を解決するために、請求項１に記載の発明は、複数の宛先を指定する宛先指定手段を有する宛先指定装置において、指定する宛先数の上限値を設定する設定手段と、該設定手段により設定された宛先数の上限値を超えるか否かを判断する判断手段と、を備え、前記判断手段により前記宛先数の上限値を超過して設定したと判断された場合、警告を表示すると共に、前記上限値を超過する宛先の設定を取り消すことを特徴とする。
また、請求項２に記載の発明は、請求項１に記載の宛先指定装置において、前記判断手段により前記宛先数の上限値を超過して送信すると判断された場合、警告を表示すると共に、前記上限値を超過する宛先への送信を中止すことを特徴とする。
また、請求項３に記載の発明は、請求項１または２に記載の宛先指定装置において、前記設定手段は、前記宛先数の上限値の設定を許可するか否かを判断可能としたことを特徴とする。
また、請求項４に記載の発明は、請求項１乃至３のいずれか１項に記載の宛先指定装置を備えたことを特徴とする。
【発明の効果】
【０００５】
請求項１によれば、一度に指定できる宛先の上限数を設定し、その件数を超える宛先を指定しようとすると警告を表示して上限数以上の宛先を指定できないようにしたことにより、多数の宛先を指定することによる誤送信の可能性を減らし、不要な宛先に送信することによる通信経費の増加を抑え、迷惑ファクスとして使用されるのを防ぐことができるようになった。
請求項２によれば、一度に指定できる宛先の上限数を設定できるようにし、その件数を超える宛先を指定して送信しようとした場合に、警告を表示して送信を中止するようにしたことにより、多数の宛先を指定することによる誤送信の可能性を減らし、不要な宛先に送信することによる通信経費の増加を抑え、迷惑ファクスとして使用されるのを防ぐことができるようになった。
請求項３によれば、請求項１又は２において、管理者のみが宛先の上限数を設定できるようにしたことにより、通常のユーザが勝手に宛先の上限数を変更して迷惑ファクスの送信元として使用したり、宛先の上限数が勝手に変更されることによる誤送信の可能性増加・通信経費の増加を防ぐことができるようになった。
請求項４によれば、宛先指定装置を備えることにより、同報通信が可能な画像形成装置を提供することができる。
【発明を実施するための最良の形態】
【０００６】
以下、図面を参照しながら、本発明の宛先指定装置を実施形態により詳細に説明する。
まず、図１に大型ＬＣＤ（液晶画面）などの表示部を有するコピー・ファクス（ファクシミリ）機能を備えたデジタル複合機の操作パネル１の概略構成図を示す。操作パネル１には大型ＬＣＤ２と、テンキー３、スタートキー４などのハードキーを備えている。大型ＬＣＤ２はタッチパネルとしても動作してもよく、各種の画面を表示するほか、画面内に表示されたボタンをユーザがタッチすることによりキー入力部としてユーザからの入力を受け付けることもできる。初期設定キー５は各メンテナンス操作を行う初期設定画面に切り替えるためのキーであり、コピー切り替えキー６はコピー機能に切り替えるためのキーであり、ファクス切り替えキー７はファクス機能に切り替えるためのキーである。
ファクス宛先指定時には、テンキー３によりファクス番号を１桁ずつ入力するかまたは登録されたファクス番号を指定するために用い、スタートキー４は電話番号の入力または指定完了後、実際の送信（ダイヤル動作）を確認し、送信の開始を実行させるために用いる。なお表示部２としてＬＣＤを例にとって説明したが、本発明では、ＬＣＤ以外の表示部２であってもよい。たとえば、ＥＬ（(organic)Electro Luminescence）でも、ＰＤＰ（Plasma Display Panel）でもよく、他の表示装置であってもよい。要するに、表示機能を有していればよく、他の表示装置であってもよい。
指定された宛先数を保持するための変数の例を図２に示す。数値変数Ｎｕｍは、指定された宛先数を示す。数値変数Ｐｏｓは、現在表示している宛先の登録位置を示す（先頭が０）。文字列配列変数Ａｄｒ［］は、指定された各宛先の内容を保持する配列である。図２に示してある例では、宛先は３件指定されていて（Ｎｕｍ＝３）、そのうち先頭から２（＝Ｐｏｓ＋１）件目（番目）を表示している。各宛先は、１件目（Ａｄｒ［０］）が“１２３”であり、２件目（Ａｄｒ［１］）が、“４５６７”であり、３件目（Ａｄｒ［２］）が、“８９”である。“４５６７”の右側にある黒三角記号「▲」は、Ｐｏｓで示される現在表示中の宛先「１」（２件目の“４５６７”）に対応することを示す。Ａｄｒ［］において宛先の入っていないところ（図２の例ではｉ≧３に対するＡｄｒ［ｉ］）にはたとえば空文字列のＮＵＬＬをセットしておく。宛先が１件以上指定されている時には、指定されている宛先のいずれかを表示させるため、Ｎｕｍ＝０の時を除き、Ａｄｒ［Ｐｏｓ］がＮＵＬＬにならないようにＰｏｓを設定する必要がある（Ｎｕｍ＝０のときはＰｏｓ＝０とする）。なおこの設定は、自動的に行われてもよい。また１件の場合には自動的に行われてもよく、複数の場合には、Ｐｏｓを設定するようにすることもできる。
【０００７】
宛先を複数入力していく場合のフローを図３に示す。（Ａ）は宛先がまだ指定されていない時の画面（初期画面）であり、この画面でタッチパネル上の「宛先追加」ボタンを押すと（ステップＳ１）、（Ｂ−１）の宛先入力中画面に移る。（Ｂ−１）でテンキー（ハードキー）から番号を入力していくと（ステップＳ２）、入力した番号が画面に反映され、「確定」「後退」ボタンが現れる（Ｂ−２）。「後退」ボタンは入力した番号を１桁消去するためのボタンであり、入力した桁数分だけ「後退」ボタンを押すと（Ｂ−１）の番号未入力の状態まで戻る。（Ｂ−１）または（Ｂ−２）の画面で「取消」ボタンを押すと（Ａ）の画面に戻る。また番号を入力して「確定」ボタンを押すと、１件の宛先入力が確定して（Ｃ）に示すような画面になる。（Ｃ）では表示されている件数が０→１になり、入力した宛先“１２３”が表示に反映され、「変更」「消去」ボタンが現れる。（Ｃ）に示した表示において、「宛先追加」と表示されているボタン（箇所）を押すと、送信先として２件目の宛先を入力する（Ｄ−１）の表示画面に移る。この表示画面上で番号を入力して「確定」ボタンを押すと、２件目の宛先入力が確定して（Ｅ−１）に示すような画面になる。（Ｅ−１）のように宛先が２件以上になると「前へ」と表示されたボタンや「次へ」と表示されたボタンが現れるようになる。これは現在表示している宛先と別の宛先に表示を切り替えるためのボタンであり、（Ｅ−１）に示す表示画面では、２件中２件目の宛先を表示している。この表示画面上で「前へ」と表示されているボタンを押すと（Ｅ−２）のように２件中１件目の宛先（１件前の宛先）を表示するようになる。なお、先頭の宛先を表示している時は「前へ」ボタンは表示されず、最後尾の宛先を表示している時は「次へ」ボタンは表示されない。
なお、図３の（Ａ）（Ｃ）（Ｅ−１）（Ｅ−２）において、件数は図２に示すのと同様のことを意味するＮｕｍの値をそのまま表示する。また、宛先の内容はＡｄｒ［Ｐｏｓ］を表示する。「前へ」「次へ」ボタンが押された時は、Ｐｏｓを−１または＋１してＡｄｒ［Ｐｏｓ］の内容を再表示する。
【０００８】
図４に宛先確定時（宛先入力画面で番号が入力されて「確定」ボタンが押された時）の処理フローを示す。宛先数が「Ｎｕｍ」件であるとき、指定済みの宛先（入力された宛先）がＡｄｒ［０］〜Ａｄｒ［Ｎｕｍ−１］までは既に入力されている（ステップＳ１１）。このため、入力された宛先を新たに追加する場合には、最後のＡｄｒ［Ｎｕｍ−１］の次の宛先のＡｄｒ［Ｎｕｍ］にセットする。そして現在位置Ｐｏｓを入力した宛先をセットしたところ、すなわちＮｕｍ−１＋１＝Ｎｕｍにセットする（ステップＳ１２）。そしてセット後に、Ｎｕｍを＋１インクリメントする（ステップＳ１３）。
図５に指定済みの宛先を変更する場合のフローを示す。（５Ａ）宛先指定済み画面上で、「変更」と表示されたボタンを押すと、表示中宛先（Ａｄｒ［Ｐｏｓ］）が入力された状態で（５Ｂ）宛先変更画面に移る。ここでテンキーや「後退」と表示されたボタンを操作して番号を修正して「確定」と表示されたボタンを押すと、（５Ｃ）に示すように宛先の変更が反映される。処理としては、Ａｄｒ［Ｐｏｓ］に入力した宛先内容をセットすればよい。
宛先の消去は宛先指定済みの画面で「消去」ボタンを押すことで行える。「消去」ボタンを押すと表示中の宛先を１件消去するが、図６に宛先が１件消去される場合の変数の変化を示す（太枠で囲まれた変数が変化する変数）。まず図６の（ａ）に示すように、宛先数が１の場合には、Ｎｕｍは０になり、Ａｄｒ［］で唯一宛先内容が入っていたＡｄｒ［０］もＮＵＬＬになるが、表示中の宛先位置Ｐｏｓは変わらず０のままである（Ｎｕｍ＝０の場合、Ａｄｒ［Ｐｏｓ］には宛先内容は入っていない）。
次に図６の（ｂ）に示すように、宛先数が２以上で、表示中の宛先位置として最後でない場合には、Ｎｕｍを−１し（１つ戻り）、Ａｄｒ［Ｐｏｓ］の宛先内容を消去する。ここでＡｄｒ［］はＮＵＬＬの隙間ができないように、Ｐｏｓ以降のＡｄｒ［］の内容を一つずつ前にシフトさせる。Ｐｏｓ自体は変わらないが、Ａｄｒ［Ｐｏｓ］の宛先内容は変わる（別の宛先を表示するようになる）。
最後に図６の（ｃ）に示すように、宛先数２以上で、表示中の宛先位置が最後の場合には、Ｎｕｍを−１し（１つ戻す）、Ａｄｒ［Ｐｏｓ］をＮＵＬＬにすればよい。ここでＰｏｓは新たな最後尾を指すようにする。
【０００９】
図７に宛先を消去していく際のフローを示す。（７Ａ）では、“１２３”“４５６７”“８９”という３つの宛先が指定済みであるとする。そして現在、２件目の“４５６７”を表示しているとする。ここで「消去」と表示されたボタンを押すと、宛先“４５６７”は消去され、（７Ｂ）に示すようになる（図６（ｂ）のパターン）。（７Ｂ）でさらに「消去」と表示されたボタンを押すと（７Ｃ）のようになる（図６（ｃ）のパターン）。（７Ｃ）において、「消去」と表示されたボタンを押すと最後の１件の宛先が消去され、（７Ｄ）に示すようになる（図６（ａ）のパターン）。
図８は、宛先消去時の処理を示すフローチャートである。まずＰｏｓ＜Ｎｕｍ−１（表示中宛先が最後でない＝図６（ｂ）のパターン）であるか否かを判断し（ステップＳ２１）、ステップＳ２１においてＮｏであれば、ステップＳ２６に進み、またＹｅｓであればステップＳ２２に進み、宛先が入ったＰｏｓを変数とし、変数ｉがＮｕｍ−１かどうかを判断し、Ａｄｒ［］においてＮＵＬＬの隙間を作らないようにシフトさせる。そうした上で、共通で、すなわち、図６における（ａ）〜（ｃ）共通で、最後の宛先Ａｄｒ［Ｎｕｍ−１］をＮＵＬＬにし、すなわち消去し（ステップＳ２６）、次いで宛先数Ｎｕｍを−１する（ステップＳ２７）。そしてＮｕｍ＞０かつＰｏｓ＞Ｎｕｍ−１（図６（ｃ）のパターン）であるか否かを判断し（ステップＳ２８）、ステップＳ２８においてＹｅｓであれば、ＰｏｓをＮｕｍ−１（新たな最後尾）をセットする（ステップＳ２９）。またステップＳ２８においてＮｏの場合には、終了する（ステップＳ２８／Ｎｏ→ＥＮＤへ）。
また前記ステップＳ２３において、Ｙｅｓの場合には、変数ｉがＮｕｍ−１未満か否かを判断し（ステップＳ２３）、ｉがＮｕｍ−１の場合には、Ａｄｒ［ｉ］においてｉを１つ増加（インクリメント）し（ステップＳ２４）、次いでｉを増加（インクリメント）し（ステップＳ２５）、ステップＳ２３に戻り、以降、ｉがＮｕｍ−１以上となるまで、ステップＳ２４およびＳ２５が繰り返される。
【００１０】
本発明の宛先指定装置の構成と、動作例について説明する。
本発明の宛先指定装置は、図１４に示すように、指定する宛先数を設定する設定手段１１と、設定された宛先数を超えるか否かを判断する判断手段１２と、宛先数が越えたと判断された送信情報と関連させて警告の表示する表示手段１３とを有して構成されている。
この設定手段１１により、宛先の上限数を設定するフローを図９に示す。
まずユーザがハードキーの初期設定キーを押すと（９Ａ）初期設定画面に移る。この画面では「システム初期設定」「コピー初期設定」「ファクス初期設定」「管理者用設定」と表示された各ボタンが表示されており、「管理者用設定」と表示されたボタンを押すと（９Ｂ）に示されたような管理者用設定画面が表示される。この画面で「宛先数制限設定」と表示されたボタンを押すと（９Ｃ）宛先数制限設定画面が表示される。この画面で宛先上限数をテンキー等で入力して「設定」と表示されたボタンを押すと、設定が反映されて（９Ｂ）の画面に戻る。（また「取消」と表示されたボタンを押下すると設定中の宛先上限数設定は破棄されて（９Ｂ）の画面に戻る。）
また「宛先追加」と表示されたボタンが押された時のフローを図１０に示す。「宛先追加」ボタンが押されると（ステップＳ１０１）、まず宛先数Ｎｕｍと図９に示す（９Ｃ）の宛先数制限設定画面で設定した宛先数上限の値とを比較し（ステップＳ１０２）、Ｎｕｍが宛先数上限以上であれば（ステップＳ１０２においてＹｅｓの場合）「これ以上宛先の追加はできません。」という旨の警告画面を表示する（ステップＳ１０３）。そして一定時間後に、元の画面に戻る（ステップＳ１０３→Ｓ１０１）。Ｎｕｍが宛先数上限値未満であれば宛先入力画面に移行する（ステップＳ１０４）。このようにすることによって、宛先数上限を超える宛先の指定を抑制することができる（請求項１）。
次に、「スタートキー」が押された時のフローを図１１に示す。
「スタートキー」が押されると（ステップＳ１１１）、まず宛先数Ｎｕｍと図９（Ｃ）宛先数制限設定画面で設定した宛先数上限とを比較し（ステップＳ１１２）、Ｎｕｍが宛先数を超えていれば（ステップＳ１１２においてＹｅｓの場合）「宛先数制限を超える宛先が指定されているので送信を中止します。」という旨の警告画面を表示し（ステップＳ１１３）、一定時間後に元の画面に戻る（ステップＳ１１３→Ｓ１１１）。Ｎｕｍが宛先数上限以下であれば通常の送信処理に移行する（ステップＳ１１４）。このようにすることによって、宛先数上限を超える宛先が指定された場合、送信動作を抑制することができる（請求項２）。
管理者用設定に入る際にパスワードあるいは個人認識情報のマッチングを必要とすることによって、管理者用設定の中にある「宛先数制限設定」のアクセスを制限する。まず、この方法について説明する。
【００１１】
図１２に管理者パスワードあるいは個人認識情報を設定する画面を示す。なお以下にパスワード設定を例にして説明する。
（１２Ａ）に示す管理者用設定画面において、「管理者パスワード設定」とある表示のボタンを押すと、（１２Ｂ）に示すような管理者パスワード設定画面が表示される。この画面では、パスワード設定用・パスワード確認用に、それぞれパスワードを入力するようになっている（「クリア」ボタンを押すと入力したパスワードがクリアされる）。パスワードは例えばテンキーから入力するが、ここでは安全のため入力されても内容は伏せて桁数のみ分かるように「＊」で表示するようにしている。内容を伏せてしまうとキーの押し間違いが確認できないため、確認用にもう一回パスワードを入力するようにしている。設定パスワード・確認パスワードを入力し終えて「設定」ボタンを押す（設定済みのパスワードを消去する場合は設定パスワード・確認パスワードともクリアして「設定」ボタンを押す）と、設定パスワードと確認パスワードが一致しているか確かめ、一致していなければアラートを表示して元の画面（Ｂ）に戻る。一致していれば入力されたパスワードを管理者パスワードとして設定し、（Ａ）管理者用設定画面に戻る。
【００１２】
図１３に管理者パスワードあるいは個人認識情報が設定されている場合のフローを示す。（１３Ａ）に示す初期設定画面において、「管理者用設定」と表示されているボタンを押すと、管理者パスワードが設定されているかどうかを確認し（ステップＳ１３２）、設定されていなければ（ステップＳ１３２においてＹｅｓの場合）、（１３Ｂ）に示す管理者用設定画面に移る（ステップＳ１３６）。管理者パスワードが設定されている場合（ステップＳ１３２においてＹｅｓの場合）、（１３Ｃ）に示す管理者パスワード入力画面を表示する（ステップＳ１３３）。そこで入力されたパスワードが管理者パスワードと一致していれば（１３Ｂ）管理者用設定画面に移行し（ステップＳ１３２→Ｓ１３６）、一致していなければアラートを表示して（１３Ａ）に示す初期設定画面に戻る。このように、管理者パスワードが設定されている場合、正しいパスワードを入力しなければ（１３Ｂ）管理者用設定画面に入ることができないため、管理者用設定の中にある「宛先数制限設定」は管理者パスワードを知っている管理者しか行うことができない。また、管理者パスワードの設定も管理者用設定の中にあるため、当然管理者パスワードをクリアしたり変更したりするにも管理者パスワードの入力が必要となる。このため、管理者パスワードが公開されていない限り一般ユーザは宛先上限数を変更することができない（請求項３）。
本発明の宛先指定装置は、ファクシミリ装置、複写機などを含む画像形成装置に装備されることが好ましい。特に本発明の宛先指定装置を有する画像形成装置では、ＣＰＵなどの演算処理装置を内包したコンピュータ機能（その構成例を図１４（ｂ）に示す）を有しており、本発明の宛先指定装置は、アップリケーションを画像形成装置で実行することにより、図１４（ａ）に示す符号１１〜１３の各部を形成し、画像形成装置内での宛先指定装置としての機能を発揮させ、宛先指定装置として使用することができる。このようなアプリケーションは、ＣＤ、ＤＶＤなどのディスク基板、メモリースティック、フロッピー（登録商標）ディスクなどの記録媒体に保存されているものであってもよく、あるいは通信を介してダウンロードにより記憶手段に保存して使用することが可能である。
【図面の簡単な説明】
【００１３】
【図１】大型ＬＣＤ（液晶画面）などの表示部を有するコピー・ファクス（ファクシミリ）機能を備えたデジタル複合機の操作パネル１の概略構成図を示す図である。
【図２】指定された宛先数を保持するための変数の例を示す図である。
【図３】宛先を複数入力していく際のフローを示す図である。
【図４】宛先確定時の入力画面で番号が入力されて「確定」ボタンが押された時の処理フローを示す図である。
【図５】指定済みの宛先を変更する時のフローを示す図である。
【図６】宛先が１件消去される場合の変数の変化を示す図であり、（ａ）は宛先数が１である場合を示す図、（ｂ）は宛先数が複数である場合の宛先の入力が最後の件で無い場合を示す図、（ｃ）は宛先が、最後のものである場合を示す図である。
【図７】宛先を消去していく際のフローを示す図である。
【図８】宛先消去時の処理を示すフローチャートである。
【図９】一度に指定できる宛先の上限数を設定する画面フローを示す図である。
【図１０】「宛先追加」ボタンが押された時のフローを示す図である。
【図１１】「スタートキー」が押された時のフローを示す図である。
【図１２】管理者パスワードを設定する画面を示す図である。
【図１３】管理者パスワードが設定されている場合のフローを示す図である。
【図１４】（ａ）（ｂ）は宛先指定装置の構成を示す図である。
【符号の説明】
【００１４】
１  操作パネル
２  表示部
３  テンキー
４  入力した操作をスタートさせるスタートキー
５〜７  複合機の各機能を定めるファンクションキー群
【図１】
2007110249.tif 000003
【図２】
2007110249.tif 000004
【図３】
2007110249.tif 000005
【図４】
2007110249.tif 000006
【図５】
2007110249.tif 000007
【図６】
2007110249.tif 000008
【図７】
2007110249.tif 000009
【図８】
2007110249.tif 000010
【図９】
2007110249.tif 000011
【図１０】
2007110249.tif 000012
【図１１】
2007110249.tif 000013
【図１２】
2007110249.tif 000014
【図１３】
2007110249.tif 000015
【図１４】
2007110249.tif 000016